(57)【要約】  本発明は、高圧放電ランプのためのランプベースであって、ランプベース（２）の内室（２１４）内に配置された、高圧放電ランプの点弧のための点弧変圧器（１０００）を有しており、該点弧変圧器はコアを有しており、該コア上には巻線（１００１，１００２）が配置されている形式のものにおいて、コアが第１のコア構成部分（１００４）と少なくとも１つの第２のコア構成部分（１００５，１００６，１００７）とから成っており、これらのコア構成部分はそれぞれ強磁性またはフェリ磁性の材料から成っており、少なくとも１つのギャップ（１００８）によって分離されており、第１のコア構成部分が円筒状の区分を有しており、該円筒状の区分上に、点弧変圧器（１０００）の巻線（１００１，１００２）が配置されており、コア構成部分が、コアが少なくとも１つのギャップ以外では１つの閉じられた形状を有するように成形されている。
2008530740.tif 000002
【特許請求の範囲】
【請求項１】
高圧放電ランプのためのランプベースであって、ランプベース（２）の内室（２１４）内に配置された、高圧放電ランプにおけるガス放電の点弧のための点弧変圧器（１０００）を有しており、該点弧変圧器（１０００）はコアを有しており、該コア上には巻線（１００１，１００２）が配置されている形式のものにおいて、
コアが第１のコア構成部分（１００４）と少なくとも１つの第２のコア構成部分（１００５，１００６，１００７）とから成っており、これらのコア構成部分はそれぞれ強磁性またはフェリ磁性の材料から成っており、少なくとも１つのギャップ（１００８）によって分離されており、第１のコア構成部分（１００４）が円筒状の区分を有しており、該円筒状の区分上に、点弧変圧器（１０００）の巻線（１００１，１００２）が配置されており、コア構成部分（１００４，１００５，１００６，１００７）が、少なくとも１つの第２のコア構成部分（１００５，１００６，１００７）が第１のコア構成部分（１００４）の巻線（１００１，１００２）が設けられた区分の上方にブリッジされ、第１のコア構成部分（１００４）の第１の端部から第１のコア構成部分（１００４）の第２の端部への磁気的な帰路が形成されるように成形されていることを特徴とする、高圧放電ランプのためのランプベース。
【請求項２】
コア構成部分（６００４，６００６，６００７）がＵ字形に配置されている、請求項１記載のランプベース。
【請求項３】
コア構成部分（１００４，１００５，１００６，１００７）が１つのフレームを形成していて、該フレームは、少なくとも１つのギャップ（１００８）によってしか中断されていない、請求項１記載のランプベース。
【請求項４】
コア構成部分がニッケル亜鉛フェライトとして形成されている、請求項１記載のランプベース。
【請求項５】
少なくとも１つのギャップ（１００８）に、コア構成部分（１００４，１００５，１００６，１００７）の強磁性またはフェリ磁性の材料よりも僅かな透磁性を有する材料が配置されている、請求項１記載のランプベース。
【請求項６】
僅かな透磁性を有した材料が、少なくとも２つのコア構成部分（１００４，１００５，１００６，１００７）を結合するための接着剤（１００８）である、請求項５記載のランプベース。
【請求項７】
少なくとも１つのギャップが空隙（２００９）として形成されている、請求項５記載のランプベース。
【請求項８】
少なくとも１つのギャップ（１００８，２００９）が、４ｍｍの幅または４ｍｍよりも小さい幅を有している、請求項３記載のランプベース。
【請求項９】
点弧変圧器（１０００）の二次巻線（１００２）と一次巻線（１００１）とが互いに上下に配置されており、二次巻線（１００２）が内側に位置していて、一次巻線（１００１）が外側に位置するように配置されている、請求項１記載のランプベース。
【請求項１０】
二次巻線が１オームの、または１オームよりも小さい直流抵抗を有している、請求項１記載のランプベース。
【請求項１１】
少なくとも１つの第２のコア構成部分（８００５，８００６，８００７；９００５）が、ランプベースの中空室（２０′；２０″）内に配置されている、請求項１記載のランプベース。
【請求項１２】
前記中空室が、点弧変圧器（９０００）の第１のコア構成部分（９００４）のための室（２０″）を制限している、ランプベースの単数又は複数の壁内に配置されている、請求項１１記載のランプベース。
【請求項１３】
ランプベースが、少なくとも１つの第２のコア構成部分（８００５）の保持のための手段（８０１０，８０１１）を有している、請求項１記載のランプベース。
【請求項１４】
点弧変圧器が、第１のコア構成部分（５００４）の円筒状の区分を取り囲むコイル枠体（５００３）を有しており、該コイル枠体に、点弧変圧器（５０００）の少なくとも１つの巻線（５００１）が配置されており、コイル枠体（５００３）には、少なくとも１つの第２のコア構成部分（５００５）を保持するための手段（５０１０）が設けられている、請求項１記載のランプベース。
【請求項１５】
点弧変圧器がケーシングを有しており、該ケーシングには少なくとも第１のコア構成部分が配置されており、ケーシングには、少なくとも１つの第２のコア構成部分を保持するための手段が設けられている、請求項１記載のランプベース。
【請求項１６】
少なくとも１つの第２のコア構成部分（５００５）を保持するための手段（５０１０）が、スナップ機構または係止機構を有している、請求項１３から１５までのいずれか１項記載のランプベース。
【請求項１７】
ランプベースの内室にスパークギャップ（６２）または閾値エレメントが配置されていて、該スパークギャップまたは閾値エレメントが、パルス点弧装置の構成部分として形成されており、スパークギャップ（６２）または閾値エレメントの降伏電圧は４００〜１５００Ｖの範囲にあって、点弧変圧器（１０００）の二次巻線（１００２）と一次巻線（１００１）との巻数の比は、１０〜８０の範囲にある、請求項１から１０までのいずれか１項記載のランプベース。
【請求項１８】
請求項１から１７までのいずれか１項記載のランプベースを備えた高圧放電ランプ。
【発明の詳細な説明】
【技術分野】
【０００１】
本発明は、請求項１の上位概念に記載の形式の高圧放電ランプのためのランプベースおよび高圧放電ランプに関する。
【０００２】
Ｉ．背景技術
このような形式のランプベースは、例えばＷＯ９７／３５３３６号特許明細書により公知である。この明細書には、ランプベースの内室に配置された、閉じられたコアを有する点弧変圧器を備えた高圧放電ランプのためのランプベースが記載されている。特にこの点弧変圧器はリングコア変圧器として形成されている。閉じられたコアを有した点弧変圧器の欠点は、高圧放電ランプが極性が変化する電流によって駆動され、点弧変圧器の二次巻線にランプ電流が流れる場合に、変圧器のインダクタンスが高いことにより、点弧フェーズの終了後のランプ駆動中に、ランプ電流の極性変化が妨げられることにある。さらに、このような形式の点弧変圧器はすぐに飽和状態に達するので、比較的僅かなエネルギ貯蔵性しか有しておらず、高圧放電ランプの点弧フェーズの終了後は比較的高い電流が生じ、このような電流は、ランプの駆動機器の電気的な構成部分を過負荷する恐れがある。何故ならば、このような形式の点弧変圧器の二次巻線のチョーク作用は比較的僅かだからである。さらには、リングコアへの変圧器巻線の取り付けは手間がかかる。
【０００３】
ＷＯ０２／５１２１４号特許明細書には、ランプベースの内室に配置された点弧変圧器を備えたランプベースが開示されている。この点弧変圧器は、ロッドコア変圧器として形成されている。この点弧変圧器は、著しい漂遊磁界を発生させ、この漂遊磁界は、ランプベースと高圧放電ランプの金属部分と相互作用させ、ランプ電流に影響を与える。特に、漂遊磁界は、電磁的な両立性を改善する目的でランプベースを取り囲む金属的なシールドケーシング内で電流を生ぜしめる。金属的なシールドケーシングにおける電流は、極性変化、即ち、ランプ電流の電流ゼロフェーズに影響を与え、高圧放電ランプが消えることがある。さらには提供可能な点弧電圧は、点弧電圧パルスの発生中に点弧変圧器による磁界変化によるシールドケーシングにおける損失に基づき減じられる。ロッドコア変圧器を点弧変圧器として使用する場合、点弧パルスは金属的なシールドケーシングによって著しく減衰される。
【０００４】
ＩＩ．発明の開示
本発明の課題は、上記先行技術の欠点を回避するような高圧放電ランプのためのランプベースを提供することである。
【０００５】
この課題は、本発明によれば、請求項１の特徴部により解決される。本発明の特に有利な構成は従属請求項に記載されている。
【０００６】
高圧放電ランプのための本発明によるランプベースは、ランプベースの内室に配置された、高圧放電ランプにおけるガス放電の点弧のための点弧変圧器を有している。この場合、点弧変圧器のコアは、第１のコア構成部分と、少なくとも１つの第２のコア構成部分とから成っていて、これらのコア構成部分はそれぞれ強磁性又はフェリ磁性の材料から成っていて、少なくとも１つのギャップによって分離されている。この場合、第１のコア構成部分は円筒状の区分を有しており、この区分上に、点弧変圧器の巻線が配置されて、コア構成部分は、少なくとも１つの第２のコア構成部分が第１のコア構成部分の円筒状の区分の上方にブリッジされていて、第１のコア構成部分の第１の端部から、第１のコア構成部分の第２の端部への磁気的な帰路が形成されるように形成されている。
【０００７】
点弧変圧器の少なくとも２つの部分から成る構成に基づき、変圧器が少なくとも１つのギャップを有しており、ひいては、上記引用した先行技術のようなリングコア変圧器の上述の欠点を有していないことが保証されている。従って特に、本発明によるランプベースに配置された点弧変圧器の二次巻線は、高圧放電ランプにおけるガス放電の点弧直後に、ランプ電流の十分な制限を保証し、不都合に高いランプ電流の上昇を防止する。さらに、第１のコア構成部分の円筒状の区分により、直接第１のコア構成部分上においても、第１のコア構成部分の円筒状の区分を取り囲むコイル枠体上においても変圧器巻線の正確な構成及び配置が保証される。少なくとも２つのコア構成部分の構成が、少なくとも１つの第２のコア構成部分が、第１のコア構成部分の巻線が設けられた区分の上に設けられていて、第１のコア構成部分の第１の端部から、第１のコア構成部分の第２の端部への磁気帰路が形成されるようになっていて、このような構成により点弧変圧器の漂遊磁界が著しく減じられる。何故ならば、磁力線は殆ど完全に、強磁性およびフェリ磁性の材料から成るコア構成部分において延びているからである。従ってこのような点弧変圧器は、電磁的な両立性を改善するために働く、ランプベースの金属的なシールドケーシングにおいて殆ど電流を誘導しない。従って、ロッドコア変圧器が設けられた、上記先行技術で引用したようなランプベースの欠点を有していない。
【０００８】
有利には、点弧変圧器のコア構成部分は、Ｕ字形に配置されているか、または、少なくとも１つのギャップによってのみ中断されるフレームを成形している。即ち、後者の場合、変圧器のコア構成部分は、閉じられた、有利には１つの平面で延びる空間的な曲線に沿って配置されている。
【０００９】
少なくとも１つの第２のコア構成部分は、第１のコア構成部分の第１の端部から第１のコア構成部分の第２の端部への磁気帰路を形成するように、第１のコア構成部分の円筒状の区分の上方にブリッジされている。即ち、第１のコア構成部分の第１の端部から出る磁力線は大部分は、少なくとも１つの第２のコア構成部分によって、第１のコア構成部分の第２の端部に戻される。
【００１０】
有利には少なくとも１つのギャップはエアギャップとして形成されている、またはコア構成部分間の少なくとも１つのギャップには、点弧変圧器の十分なエネルギ貯え性と、上記電流を制限する点弧変圧器の二次巻線の作用を保証するために、強磁性またはフェリ磁性のコア材料よりも僅かな透過率を有する材料が配置されている。透過率の僅かな上記材料は、有利には、少なくとも２つのコア構成部分を結合させるための接着剤である。これにより、コア構成部分のために、所望の位置および方向を固定するための付加的な保持部材は不要である。選択的には接着剤の代わりに、電気的に絶縁された封止コンパウンドも使用することもできる。これは、点弧変圧器のコア構成部分と、点弧変圧器が配置されているランプベースの室との間の少なくとも１つのギャップに充填される。コア構成部分のための材料として、有利には、高い特別な抵抗を有したフェライト、例えば、ニッケル亜鉛フェライトが使用される。これにより変圧巻線の一方、例えば二次巻線を第１のコア構成部分に直接巻き付けることができる。
【００１１】
点弧変圧器のコア構成部分の間の少なくとも１つのギャップは、変圧器の漂遊磁界を小さく維持するために、有利には、４ｍｍ又はそれよりも小さい幅を有している。
【００１２】
点弧変圧器の簡単な製造と、変圧器巻線と、高電圧を空間的に分離する二次巻線の接続部との簡単なコンタクトを得るために、有利には二次巻線と一次巻線とは互いに上下に配置されていて、この場合、二次巻線が内側に位置し、一次巻線が外側に位置するように配置されている。有利には、二次巻線は直接、第１のコア構成部分の円筒状の区分、又は、第１のコア構成部分のこの区分を取り囲むコイル枠体に巻き付く。一次巻線は有利には電気的な絶縁体によって分離されて二次巻線上に配置されている。
【００１３】
本発明によるランプベースには、有利には、高圧放電ランプのための完全なパルス点弧装置が取り付けられている。このパルス点弧装置は、点弧変圧器の他に、降伏電圧を超過した場合に、点弧コンデンサが放電するスパークギャップまたは閾値エレメントも有している。スパークギャップまたは閾値エレメントの降伏電圧は有利には４００Ｖ〜１５００Ｖの範囲にあり、変圧器巻線の巻数比は、有利には１０〜８０の範囲にある。これにより、一方では、パルス点弧装置により３０ｋＶまでの十分に高い点弧電圧パルスを発生させることができ、他方では、点弧フェーズ後のランプ駆動中に、ランプ電流が流れる二次巻線において大きな損出出力は生じないことが保証される。有利には、点弧変圧器の二次巻線はこの目的で付加的に、直流抵抗が１オームよりも小さいように形成されている。
【００１４】
本発明の実施例によれば、点弧変圧器は、第１のコア構成部分の円筒状の区分を取り囲むコイル枠体を有していて、このコイル枠体には少なくとも１つの変圧器巻線が配置されている。この場合、このコイル枠体には、少なくとも１つの第２のコア構成部分のための保持手段が設けられている。選択的には保持手段を、例えば第１のコア構成部分と、変圧器の一方の巻線または両方の巻線と、場合によっては変圧器巻線のためのコイル枠体が配置されている点弧変圧器のケーシングの構成部分として形成することができる。
【００１５】
少なくとも１つの第２のコア構成部分のための上記保持手段は、有利にはスナップ機構または係止機構を有している。これにより、少なくとも１つの第２のコア構成部分を簡単に、第１のコア構成部分に関して、所定の位置及び方向で固定することができる。
【００１６】
本発明の別の実施例によれば、点弧変圧器の少なくとも１つの第２のコア構成部分がランプベースの中空室に配置されている。これにより、点弧変圧器の個々の構成部分とこれとの組み付けは、ランプベースへの挿入時に初めて行われる。有利には、少なくとも第２のコア構成部分のために上記中空室は点弧変圧器もしくは点弧変圧器の第１のコア構成部分のための室を、その上に配置された巻線と共に形成する、ランプベースの単数又は複数の壁に位置している。これにより、変圧器の少なくとも１つの第２のコア構成部分が、ランプベースもしくは室壁の構成部分として形成されて、このように形成された室の壁は、第１のコア構成部分を室に挿入した後、点弧変圧器の漂遊磁界を最適に制限するために働く。選択的には、少なくとも１つの第２のコア構成部分を、ランプベースに取り付けられている保持手段によって、上記室に位置固定することができる。保持手段は有利には、スナップ機構または係止機構を有している。
【００１７】
ＩＩＩ．有利な実施例の説明
次に本発明を有利な複数の実施例につき詳しく説明する。
【００１８】
図１に示した高圧放電ランプの有利な実施例では、メタルハライド高圧放電ランプが示されていて、有利にはこれは、自動車の前照灯のための、水銀を使用しないメタルハライド高圧放電ランプである。
【００１９】
この高圧放電ランプは、ガラスの外側バルブ１２によって取り囲まれた、石英ガラスから成る放電容器１１を有していて、該放電容器１１内には、ガス放電を生ぜしめるための電極１３，１４が配置されている。電極１３，１４はそれぞれ、放電容器１１から導出された電流供給部１５もしくは１６に接続されていて、この電流供給部を介して、電極１３，１４に電気エネルギが供給される。放電容器１１と外側バルブ１２とから成る構成ユニット１はランプベース２に位置固定されている。ランプベース２はベース外側部分２１と、ベース外側部分２１の室を閉鎖するカバー２２と、高圧放電ランプの電圧供給のための接続ソケット４０とを有している。ベース外側部分２１とカバー２２とソケットケーシング４０とは、２つの部分から成る１つの金属ケーシング（図示せず）によって取り囲まれている。この金属ケーシングは、ベース上方部分２１１のための円板状の開口を有している。
【００２０】
ベース外側部分２１はほぼ方形状の横断面を有している。図２に示された、ベース外側部分２１の内室は、分離壁２１３によって２つの異なる大きさの室２１４，２１５に分割されている。小さい方の第１の室２１４には変圧器１０００が組み付けられていて、この変圧器１０００は、ランプベース２に取り付けられた、高圧放電ランプのパルス点弧装置のための点弧変圧器として働く。大きい方の第２の室２１５には、パルス点弧装置の別の構成部分６１，６２が配置されている。ベース外側部分２１には電気的なコンタクトエレメントが埋め込まれている。これは特殊鋼から成っていて、ベース外側部分２１とともに１つの構成ユニットを形成している。その端部３１，３２は扁平なコンタクト面を有している。電気的なコンタクトエレメントの第１の端部３１は第１の室２１４内に延びていて、点弧変圧器１０００の組み付け後は、高圧を伝える点弧変圧器１０００の点弧電圧出口に溶接されている。電気的なコンタクトエレメントの第２の端部３２には、高圧放電ランプの内側の電流供給部１５のための貫通孔３３が設けられていて、第２の室２１５内に延びている。ベース外側部分２１にはトラフ２１７１が設けられていて、このトラフ２１７１は中空円筒状のウエブ２１７によって制限される。コンタクトエレメントの第２の端部３２は、トラフ底面の一部を形成している。内側の電流供給部１５をコンタクトエレメントの第２の端部３２に溶接した後、トラフ２１７１は電気的に絶縁性の封止コンパウンドが充填されるので、両ランプ構成部分１５，３２の間の溶接個所は封止コンパウンド内に埋め込まれている。放電容器１１のベースとは反対側の端部から突出する外側の電流供給部１６の、ベース２に戻された端部は、同様にベース外側部分２１に一体成形されている中空円筒状のウエブ２１８内に延びている。別の中空円筒状ウエブ２１９は、カバー２２を固定するために、かつ、高圧放電ランプの電気的な接続部を形成する接続ソケット４０の固定のために働く。ウエブ２１８の端部には、組み付けボード（図示せず）のための支持面２１８１が設けられており、組み付けボードの形状は、第２の室２１５の横断面にぴったりと合わせられている。組み付けボードはその組み付け後に室２１５を閉じる。組み付けボードに配置された構成部分、例えば、パルス点弧装置の点弧コンデンサ６１とスパークギャップ６２とが第２の室２１５内に突入している。第１の室２１４の側壁２１５１，２１３には、点弧変圧器１０００のための複数の溝２１４２，２１３１もしくはガイドウエブが配置されている。これらの溝２１４２，２１３１もしくはガイドウエブは点弧変圧器１０００のケーシングに合わせられているので、これにより第１の室２１４における点弧変圧器１０００の位置は規定されている。付加的に、室２１４の底面２１４３には突起２１４４が設けられていて、この突起は、コンタクトエレメントの第１の端部３１と、この端部の上に載着される、変圧器１０００の点弧電圧出口とともに、点弧変圧器１０００の組み込み深さを規定している。点弧変圧器の点弧電圧出口はこの端部３１に溶接されている。一次コイルの端部はそれぞれ、組み付けボードの導体路に接続されている。点弧変圧器１０００は、スペーサとして働く突起２１４４上に載置されている。点弧変圧器１０００と、第１の室２１４の側壁２１５１，２１３との間の中間室には、電気的に絶縁性の封止コンパウンドが充填されている。カバー２２は組み付けボードをカバーしていて、ベース外側部分２１の両室２１４，２１５を閉じている。
【００２１】
図３には、パルス点弧装置の概略的なブロック図が示されている。この装置の構成部分６１，６２，１０００はランプベース２内に配置されている。パルス点弧装置は電圧変換器によって直流電圧ＵＤＣが供給され、この直流はオーム抵抗６０を介して点弧コンデンサ６１に、該点弧コンデンサ６１に平行に接続されたスパークギャップ６２の降伏電圧をチャージする。スパークギャップ６２の降伏電圧は８００Ｖである。降伏電圧に達すると、点弧コンデンサ６１は、点弧変圧器１０００の一次コイル１００１を介して放電する。点弧変圧器１０００の二次コイル１００２ではこれにより、高圧パルスが誘導され、これにより高圧放電ランプＬａにおけるガス放電の点弧が行われる。高圧放電ランプＬａは電圧変換器によって、自動車の給電網電圧から、高圧放電ランプＬａの駆動のために交流電圧ＵＡＣを発生させる。二次コイル１００２は、高圧放電ランプの放電区間に直列接続されているので、二次コイル１００２には、高圧放電ランプＬａの点弧フェーズ了後に、ランプ電流が流れる。
【００２２】
図４〜図７および図１０には、ランプベース２もしくはベース外側部分２１に配置された点弧変圧器の種々異なる構成が示されている。
【００２３】
図４には、第１の実施例の点弧変圧器１０００が２つの視点の概略図で示されている。点弧変圧器１０００は、楕円形の横断面を有した円筒状の第１のコア構成部分１００４を有している。このコア構成部分１００４には点弧変圧器１０００の二次巻線１００２が巻き付けられている。二次巻線１００２の上にプラスチックから成るコイル枠体１００３が配置されていて、該コイル枠体１００３の上に点弧変圧器１０００の一次巻線１００１が巻き付けられている。コイル枠体１００３は第１のコア構成部分１００４と、その上に巻き付けられている二次巻線１００２とを取り囲んでいる。点弧変圧器１０００のコアは第１のコア構成部分１００４と３つの別のコア構成部分１００５，１００６，１００７とから成っている。これらは接着剤１００８によって１つのフレームを成すように接合されている。このフレームは接着剤１００８が充填されているギャップによってのみ中断されている。構成部分１００４，１００５，１００６，１００７はフェライトとして形成されている。図４において矢印で示された数値は、点弧変圧器１０００の相応の部分の寸法をミリメータで示したものである。接着剤１００８が充填されているギャップは、これらのギャップの幅の合計が０．１ｍｍであるように寸法設定されている。従って平均して各ギャップは僅か０．０２５ｍｍである。二次巻線１００２は１３５の巻数を有していて、一次巻線１００１は３の巻数を有している。二次巻線１００２の直流抵抗は０．４８オームである。二次巻線１００２は１．４ｍＨの誘導率を有している。しかしながら３つのコア構成部分１００５，１００６，１００７は、一体のＵ字形のフェライト構成部分として形成することもできる。これにより、第１のコア構成部分１００４とそれぞれＵ字形の脚の間にだけ、接着剤１００８が充填されているギャップが存在する。
【００２４】
図５には、第２実施例の点弧変圧器２０００が２つの視点の概略図で示されている。点弧変圧器２０００は、楕円形の横断面を有した円筒状の第１のコア構成部分２００４を有している。このコア構成部分２００４には点弧変圧器２０００の二次巻線２００２が巻き付けられている。二次巻線２００２の上にプラスチックから成るコイル枠体２００３が配置されていて、該コイル枠体２００３の上に点弧変圧器２０００の一次巻線２００１が巻き付けられている。コイル枠体２００３は第１のコア構成部分２００４と、その上に巻き付けられている二次巻線２００２とを取り囲んでいる。点弧変圧器２０００のコアは第１のコア構成部分２００４と３つの別のコア構成部分２００５，２００６，２００７とから成っている。コア構成部分２００４，２００６，２００７は接着剤２００８によって１つのＵ字形状を成すように接合されている。コア構成部分２００５はこのＵ字形状部材のためのヨークを形成しており、１つのもしくは２つの空隙２００９によってＵ字形状部材から分離されている。コア構成部分２００４，２００５，２００６，２００７は１つのフレームを形成しており、このフレームは接着剤２００８が充填されているギャップと空隙２００９によってのみ中断されている。コア構成部分２００４，２００５，２００６，２００７は、ニッケル亜鉛フェライトとして形成されている。図５において矢印で示された数値は、点弧変圧器２０００の相応の部分の寸法をミリメータで示したものである。接着剤２００８が充填されているギャップは、これらのギャップの幅の合計が０．０５ｍｍであるように寸法設定されている。両空隙２００９はそれぞれ０．８ｍｍの幅を有している。二次巻線２００２は１３５の巻数を有していて、一次巻線２００１は４の巻数を有している。二次巻線２００２の直流抵抗は０．４８オームである。二次巻線２００２は０．９ｍＨの誘導率を有している。変圧器コアの結合は例えば、変圧器２０００全体を取り囲むケーシング、またはコイル枠体２００３に取り付けられた、ヨーク２００５のための保持体、またはランプベース２の室２１４内に配置された封止コンパウンドによって保証されている。空隙２００９の領域には、ベース部分２１を取り囲む金属製のシールドケーシング（図示せず）が有利には貫通孔を有していて、空隙２００９から流出する磁力線の相互作用をシールドケーシングによって減じている。
【００２５】
図６には、第３実施例の点弧変圧器３０００が２つの視点の概略図で示されている。点弧変圧器３０００は、ほぼＵ字形の第１のコア構成部分３００４を有している。点弧変圧器３０００の二次巻線３００２が巻き付けられている、第１のコア構成部分３００４のＵ字脚は、楕円形の横断面を有している。これは円筒状に形成されている。二次巻線３００２の上にプラスチックから成るコイル枠体３００３が配置されていて、該コイル枠体３００３の上に点弧変圧器３０００の一次巻線３００１が巻き付けられている。コイル枠体３００３は、第１のコア構成部分３００４の前記円筒状のＵ字脚と、その上に巻き付けられている二次巻線３００２とを取り囲んでいる。点弧変圧器３０００のコアは、Ｕ字形の第１のコア構成部分３００４と、ヨークとして形成された第２のコア構成部分３００５とから成っている。これらは、接着剤３００８によって１つのフレームを成すように接合されていて、このフレームは接着剤３００８が充填されている両ギャップよってのみ中断されている。コア構成部分３００４，３００５はフェライトとして形成されている。図６において矢印で示された数値は、点弧変圧器３０００の相応の部分の寸法をミリメータで示したものである。接着剤３００８が充填されているギャップは、これらのギャップの幅の合計が１ｍｍであるように寸法設定されている。従って各ギャップの平均は僅か０．５ｍｍである。二次巻線３００２は１３５の巻数を有していて、一次巻線３００１は３の巻数を有している。二次巻線３００２の直流抵抗は０．４８オームである。
【００２６】
図７には、第４の実施例の点弧変圧器４０００が２つの視点の概略図で示されている。点弧変圧器４０００は、楕円形の横断面を有した円筒状の第１のコア構成部分４００４を有している。このコア構成部分４００４には点弧変圧器４０００の二次巻線４００２が巻き付けられている。二次巻線４００２の上にプラスチックから成るコイル枠体４００３が配置されていて、該コイル枠体４００３の上に点弧変圧器４０００の一次巻線４００１が巻き付けられている。コイル枠体４００３は第１のコア構成部分４００４と、その上に巻き付けられている二次巻線４００２とを取り囲んでいる。点弧変圧器４０００のコアは第１のコア構成部分４００４と３つの別のコア構成部分４００５，４００６，４００７とから成っている。これらは接着剤４００８によって１つのフレームを成すように接合されている。このフレームは接着剤４００８が充填されているギャップによってのみ中断されている。コア構成部分４００４，４００５，４００６，４００７はフェライトとして形成されている。図７において矢印で示された数値は、点弧変圧器４０００の相応の部分の寸法をミリメータで示したものである。接着剤４００８が充填されているギャップは、これらのギャップの幅の合計が０．１ｍｍであるように寸法設定されている。従って平均して各ギャップは僅か０．０２５ｍｍである。二次巻線４００２は１３５の巻数を有していて、一次巻線４００１は３の巻数を有している。二次巻線４００２の直流抵抗は０．４８オームである。第１実施例との唯一の相違点は、フェライト４００５，４００６の長さがより短い点にある。
【００２７】
図１０には、第５実施例の点弧変圧器５０００が概略図で示されている。点弧変圧器５０００は、楕円形の横断面を有した円筒状の第１のコア構成部分５００４を有している。このコア構成部分５００４には点弧変圧器５０００の二次巻線５００２が巻き付けられている。二次巻線５００２の上にプラスチックから成るコイル枠体５００３が配置されていて、該コイル枠体５００３の上に点弧変圧器５０００の一次巻線５００１が巻き付けられている。コイル枠体５００３は第１のコア構成部分５００４と、その上に巻き付けられている二次巻線５００２とを取り囲んでいる。点弧変圧器５０００のコアは、第１のコア構成部分５００４とほぼＵ字形の別のコア構成部分５００５とから成っている。第２のコア構成部分５００５の短いＵ字脚は、第１のコア構成部分５００４の、コイル枠体５００３から突出した端部に面していて、コア構成部分５００４，５００５は１つのフレームを形成している。このフレームは、第２のコア構成部分５００５のＵ字脚と、第１のコア構成部分５００４の端部との間の２つのギャップ５００９によってのみ中断されている。コア構成部分５００４，５００５はフェライトとして形成されている。図１０において矢印で示された数値は、点弧変圧器５０００の相応の部分の寸法をミリメータで示したものである。両空隙５００９はそれぞれ２ｍｍの幅を有している。二次巻線５００２は１３５の巻数を有していて、一次巻線５００１は４の巻数を有している。二次巻線５００２の直流抵抗は０．４８オームである。コイル枠体５００３には、ばね弾性的に形成されたクランプ状の４つの保持体５０１０が第２のコア構成部分５００５のために設けられていて、その自由端部は屈曲されている。４つの保持体５０１０により、コア構成部分５００５の位置固定がスナップ機構により可能にされる。保持体５０１０のフック状の自由端部に対して、Ｕ字形のコア構成部分５００５の底部の厚さに相応する間隔をおいて、複数の突起が保持体５０１０に設けられており、これにより、Ｕ字形のコア構成部分５００５の底部は、各保持体において、フック状の端部と各突起との間に保持される。
【００２８】
図８には、第６の実施例の点弧変圧器８０００とランプベース２′が３つの視点の概略図で示されている。点弧変圧器８０００は、楕円形の横断面を有した円筒状の第１のコア構成部分８００４を有している。このコア構成部分８００４には点弧変圧器８０００の二次巻線８００２が巻き付けられている。二次巻線８００２の上にプラスチックから成るコイル枠体８００３が配置されていて、該コイル枠体８００３の上に点弧変圧器８０００の一次巻線８００１が巻き付けられている。コイル枠体８００３は第１のコア構成部分８００４と、その上に巻き付けられている二次巻線８００２とを取り囲んでいる。点弧変圧器８０００のコアは、フェリ磁性の第１のコア構成部分８００４と、フェライトプレートとして形成された３つの別のコア構成部分８００５，８００６，８００７とから成っている。フェライトプレート８００５と８００６とはガイドピンまたはガイド条片８０１０によって、ランプベースの室２０′の互いに向かい合った側方の２つの内壁に位置固定されている。この室には、第１のコア構成部分８００４とその上に位置する変圧器巻線８００１，８００２と、コイル枠体８００３とが配置されている。この室２０′の底面には、底面上に位置するフェライトプレート８００７のための保持体８０１１が取り付けられている（図８の左図、第１のコア構成部分は示されていない）。第１のコア構成部分８００４と、その上に位置する変圧器巻線８００１，８００２とコイル枠体８００３とを室２０′内に装着した後に初めて、変圧器８０００が完全に組み付けられる（図８右図）。変圧器８０００の組み込み高さは保持部材８０１１によって固定されている。コア構成部分８００４，８００５，８００６，８００７は１つのフレームを形成していて、このフレームは、封止コンパウンドもしくは空気が充填された細いギャップによってしか中断されていない。
【００２９】
図９には、第７の実施例の点弧変圧器９０００とこの点弧変圧器９０００のためのランプベースにおける室２０″とが概略図で示されている。点弧変圧器９０００は、楕円形の横断面を有した円筒状の第１のコア構成部分９００４を有している。このコア構成部分９００４には点弧変圧器９０００の二次巻線９００２が巻き付けられている。二次巻線９００２の上にプラスチックから成るコイル枠体９００３が配置されていて、該コイル枠体９００３の上に点弧変圧器９０００の一次巻線９００１が巻き付けられている。コイル枠体９００３は第１のコア構成部分９００４と、その上に巻き付けられている二次巻線９００２とを取り囲んでいる。点弧変圧器９０００のコアは、フェリ磁性の第１のコア構成部分９００４と、フェライトパウダが充填されたＵ字形の中空室９００５とから成っている。この中空室９００５は、変圧器巻線９００１，９００２を有した第１のコア構成部分９００４が配置されている室２０″の互いに向かい合って位置する２つの側壁と底面とにわたって延びている。
【００３０】
図１１には、第６の実施例の点弧変圧器６０００が２つの視点の概略図で示されている。点弧変圧器６０００は、楕円形の横断面を有した円筒状の第１のコア構成部分６００４を有している。このコア構成部分６００４には点弧変圧器６０００の二次巻線６００２が巻き付けられている。二次巻線６００２の上にプラスチックから成るコイル枠体６００３が配置されていて、該コイル枠体６００３の上に点弧変圧器６０００の一次巻線６００１が巻き付けられている。コイル枠体６００３は第１のコア構成部分６００４と、その上に巻き付けられている二次巻線６００２とを取り囲んでいる。点弧変圧器６０００のコアは第１のコア構成部分６００４と２つの別のコア構成部分６００６，６００７とから成っている。これらのコア構成部分６００４，６００６，６００７は接着剤６００８によって１つのＵ字形状を成すように接合されている。コア構成部分６００４，６００６，６００７はニッケル亜鉛フェライトとして形成されている。図１１において矢印で示された数値は、点弧変圧器６０００の相応の部分の寸法をミリメータで示したものである。接着剤６００８が充填されているギャップは、これらのギャップの幅の合計が０．０５ｍｍであるように寸法設定されている。第１のコア構成部分６００４の自由端部と、第１のコア構成部分６００４に対して平行に向けられた第３のコア構成部分６００７の自由端部との間の空隙６００５は３．２ｍｍである。二次巻線６００２は１３５の巻数を有していて、一次巻線６００１は４の巻数を有している。二次巻線６００２の直流抵抗は０．４８オームである。二次巻線６００２は０．９ｍＨの誘導率を有している。
【００３１】
本発明は上記の詳しく説明した実施例に限定されるものではない。例えば図１０におけるＵ字形のコア構成部分５００５の代わりに半円形のコア構成部分を使用することができる。しかしながら、比較的細いギャップによってしか中断されていないほぼ閉じた１つの変圧器コアを実現するために、コア構成部分の任意の別の形状や、組み合わせも可能である。
【００３２】
本発明は特に、車両の前照灯の光源として使用される水銀を使用しないメタルハライド高圧放電ランプのために適している。しかしながら本発明によるランプベースは、別のタイプの高圧放電ランプのためにも使用することができる。特に、水銀を含んだメタルハライド高圧放電ランプのためにも使用することができる。
【図面の簡単な説明】
【００３３】
【図１】本発明のランプベースを備えた高圧放電ランプを示す概略的な側方図である。
【図２】図１に示した高圧放電ランプのランプベースの内室の平面図である。
【図３】ランプベースに取り付けられるパルス点弧装置の回路図である。
【図４】本発明の第１実施例の点弧変圧器を２つの方向から寸法と共に示した概略図である。
【図５】本発明の第２実施例の点弧変圧器を２つの方向から寸法と共に示した概略図である。
【図６】本発明の第３実施例の点弧変圧器を２つの方向から寸法と共に示した概略図である。
【図７】本発明の第４実施例の点弧変圧器を２つの方向から寸法と共に示した概略図である。
【図８】本発明の第６実施例の点弧変圧器を備えたランプベースを３つの方向から示した概略図である。
【図９】本発明の第７実施例の点弧変圧器を備えたランプベースの概略図である。
【図１０】本発明の第５実施例の点弧変圧器を示した概略図である。
【図１１】本発明の第６実施例の点弧変圧器を２つの方向から寸法と共に示した概略図である。
【図１】
2008530740.tif 000003
【図２】
2008530740.tif 000004
【図３】
2008530740.tif 000005
【図４】
2008530740.tif 000006
【図５】
2008530740.tif 000007
【図６】
2008530740.tif 000008
【図７】
2008530740.tif 000009
【図８】
2008530740.tif 000010
【図９】
2008530740.tif 000011
【図１０】
2008530740.tif 000012
【図１１】
2008530740.tif 000013
【国際調査報告】
2008530740.tif 000014
2008530740.tif 000015
2008530740.tif 000016
2008530740.tif 000017